(57)【要約】【課題】別途電源手段がなくともイオン水生成が可能なイオン水生成器を提供する。【解決手段】一端が水道管等に接続される給水管３と、給水管３を流れる流水を利用して発電を行う発電手段４と、給水管３から分岐して接続された貯水可能であると共に一対の電極１１、１２を有するイオン水生成部７と、発電手段４で発電された電力をイオン水生成部７の一対の電極１１、１２間にイオン水生成用電力として供給する手段１０と、イオン水生成部７に供給される電力量を算出する手段１３と、算出手段１３の算出結果に基づいてイオン水生成部７内の貯水を流出させる手段１０、１７、１８とを備える。【選択図】　　　　図１
2004058004.tif 000002
【特許請求の範囲】
【請求項１】
一端が水道管等に接続される給水管と、上記給水管を流れる流水を利用して発電を行う発電手段と、上記給水管から分岐して接続された貯水可能であると共に一対の電極を有するイオン水生成部と、上記発電手段で発電された電力を上記イオン水生成部の一対の電極間にイオン水生成用電力として供給する手段と、上記イオン水生成部に供給される電力量を算出する手段と、該算出手段の算出結果に基づいて上記イオン水生成部内の貯水を流出させる手段とを備えたことを特徴とするイオン水生成器。
【請求項２】
一端が水道管等に接続される給水管と、上記給水管を流れる流水を利用して発電を行う発電手段と、上記給水管から分岐して接続された貯水可能であると共に一対の電極を有するイオン水生成部と、上記発電手段で発電された電力を上記イオン水生成部の一対の電極間にイオン水生成用電力として供給する手段と、上記イオン水生成部に供給される電力量を算出する手段と、上記イオン水生成部の各電極近傍に夫々配された流出手段と、上記算出手段の算出結果に基づいて上記イオン水生成部内の貯水の上記流出手段を介しての流出を制御する手段とを備えたことを特徴とするイオン水生成器。
【請求項３】
一端が水道管等に接続される給水管と、上記給水管を流れる流水を利用して発電を行う発電手段と、上記給水管から分岐して接続された貯水可能であると共に一対の電極を有するイオン水生成部と、上記発電手段で発電された電力を上記イオン水生成部の一対の電極間にイオン水生成用電力として供給する手段と、上記イオン水生成部に供給される電力量を算出する手段と、上記イオン水生成部の各電極近傍に夫々接続された流出管と、該流出管夫々に配された開閉可能な弁手段と、上記算出手段の算出結果に基づいて上記イオン水生成部内の貯水を上記流出管を介して流出可能とするように上記弁手段を制御する手段とを備えたことを特徴とするイオン水生成器。
【請求項４】
請求項１〜３のイオン水生成器であって、上記イオン水生成部より流出したイオン水を貯留する手段を更に備えたことを特徴とするイオン水生成器。
【請求項５】
請求項１〜４の上記イオン水生成部は、一対の電極間に各電極近傍で生成されたイオン水を隔離するための隔膜が配されていることを特徴とするイオン水生成器。
【請求項６】
請求項１〜５の上記給水管の他端には蛇口が装着されていることを特徴とするイオン水生成器。
【発明の詳細な説明】
【０００１】
【発明の属する技術分野】
本発明はイオン水生成器に関する。
【０００２】
【従来の技術】
この種イオン水生成器は、水の電気分解を利用するもので、陽極と水との界面において、水の電離により水中に存在するＯＨイオンが電極に電子を与えて酸化することにより酸素ガスが大気中に放出され、その結果として陽極近傍ではＨイオン濃度が高まり酸性イオン水となり、一方陰極と水との界面では、Ｈイオンが陰極より電子を受け取るためＨイオンが還元されて水素ガスとして大気中に放出され、その結果陰極近傍ではＯＨイオン濃度が高まりアルカリイオン水となる。
【０００３】
従って、イオン水生成器を動作させるためには、電気が必要となるが、一般家庭の台所では、安全性を考慮して蛇口近傍には電源コンセントが配されていないため、延長コード等を利用して必要な電力を確保する必要があった。
【０００４】
【発明が解決しようとする課題】
一方、特開平７−２９９４５９号公報には、装置内の流水を利用して水力発電を行い、その電力で装置の一部（ソレノイド）を駆動する構成が提案されている。
【０００５】
しかし、上記水力発電の出力は小であり、かつ、定常的に出力されるものではないため、イオン水の生成にまで活用するという発想はされていなかった。
【０００６】
このため、やはり必要な電力を確保するためには、電源コンセントが必要となることには変わりない。
【０００７】
【課題を解決するための手段】
本発明は上記課題に鑑みて、電源コンセントがなくとも、イオン水を生成可能なイオン水生成器を提供せんとするものであり、その特徴は、一端が水道管等に接続される給水管と、上記給水管を流れる流水を利用して発電を行う発電手段と、上記給水管から分岐して接続された貯水可能であると共に一対の電極を有するイオン水生成部と、上記発電手段で発電された電力を上記イオン水生成部の一対の電極間にイオン水生成用電力として供給する手段と、上記イオン水生成部に供給される電力量を算出する手段と、該算出手段の算出結果に基づいて上記イオン水生成部内の貯水を流出させる手段とを備えたことにある。
【０００８】
【発明の実施の形態】
図１は、本発明を適用してなるイオン水生成器の一実施例を示すブロック図である。
【０００９】
本実施例生成器は、一端に水道管等に接続される取水口１を、他端に蛇口２が取り付けられた給水管３の途中に、上記給水管３を流れる流水を利用して発電を行う発電機４と、上記流水を浄化する浄水器５とが配される。また、上記給水管３は、上記浄水器５の下流側において分岐し、その分岐管６は、イオン水生成部７に接続されている。従って、上記給水管３の取水口１より供給された水は、上記蛇口２から出水されると共に、分岐管６を介してイオン水生成部７にも流入する。
【００１０】
上記発電機４により発電された交流電流は、整流回路８で整流されると共に定電圧回路９を経て、コントローラ１０の制御の下に上記イオン水生成部７の一対の電極（陰極１１、陽極１２）に供給される。また、その供給量（発電機４の発電量に略一致）は発電量監視手段１３により積算される。尚、上記発電量監視手段１３による積算値は、上記コントローラ１０によりリセット可能である。
【００１１】
本実施例で採用の上記イオン水生成部７は、隔膜方式のものであり、陰極１１と陽極１２との間にアルカリイオン水と酸性イオン水の混合を避けるための隔膜１３が配されている。
【００１２】
また、上記イオン水生成部７の夫々の電極１１、１２の下流側近傍には第１イオン水流出管１５及び第２イオン水流出管１６が接続されると共に、上記各流出管１５、１６は夫々第１、第２電磁弁１７、１８を介して第１、第２の貯蔵容器１９、２０に接続されている。従って、上記イオン水生成部７で生成されたアルカリイオン水は上記第１流出管１５を介して第１貯蔵容器１９に貯蔵可能であり、酸性イオン水は上記第２流出管１６を介して第２貯蔵容器２０に貯蔵可能である。
【００１３】
図２は、上記コントローラ１０の制御動作を説明するためのフローチャートであり、以下ではこのフローチャートに従って本実施例の動作を説明する。
【００１４】
コントローラ１０は、Ｓ１ステップにおいて、発電量監視手段１３により監視された発電機４の発電量、即ちイオン水生成部７の一対の電極（陰極１１、陽極１２）に供給された電力量を判定する。
【００１５】
この電力量判定により、上記イオン水生成部７の一対の電極（陰極１１、陽極１２）に所定の電力が供給されたと判定すると、コントローラ１０はＳ２ステップに処理を進める。
【００１６】
即ち、上記給水管３より分岐管６を介して一旦上記イオン水生成部７に流入した水は、給水管３中の水圧により給水管３に逆流することがないため、蛇口２からの出水に伴う断続的な発電機４の発電を利用した場合であっても、一対の電極（陰極１１、陽極１２）間に供給される積算電力量が所定値に達すると、上記イオン水生成部７内の水を所定のイオン濃度にイオン化可能となる。
【００１７】
従って、Ｓ１ステップにおいて、所定の電力が供給されたと判定した場合には、上記イオン水生成部７内の水は、所定のイオン濃度にイオン化されていることとなる。
【００１８】
Ｓ２ステップでは、コントローラ１０は、第１、第２電磁弁１７、１８を開となす。これにより、イオン水生成部７内のアルカリイオン水と酸性イオン水とは、夫々第１イオン水流出管１５及び第２イオン水流出管１６を介して第１、第２の貯蔵容器１９、２０に流出する。
【００１９】
この時、給水管３とイオン水生成部７とは、分岐管６を介して連通状態にあるため、上記第１、第２の貯蔵容器１９、２０へのイオン水の流出に伴って、非イオン水がイオン水生成部７に流入するため、第１、第２電磁弁１７、１８を開としたままでは非イオン水までも第１、第２の貯蔵容器１９、２０に流入することとなる。
【００２０】
このような事態を避けるために、Ｓ３ステップにおいて、コントローラ１０は、Ｓ２ステップにおける第１、第２電磁弁１７、１８の開放後の第１、第２の貯蔵容器１９、２０への流入水量を監視する。具体的には、第１イオン水流出管１５及び第２イオン水流出管１６に設けた流水量計（図示せず）で実測、或いは、予め実験的に求めた時間あたりの流水量と第１、第２電磁弁１７、１８の開放からの経過時間とに基づいて予測する方法により一定量（イオン水生成部７の貯水量以下）の流出を監視する。
【００２１】
Ｓ３ステップにおいて、上記一定量の流出があったと判定すると、コントローラ１０は、Ｓ４ステップにおいて、第１、第２電磁弁１７、１８を閉とすると共に発電量監視手段１３の積算値をリセットして処理をＳ１ステップに戻す。
【００２２】
このように、本実施例では非イオン水である通常の水の使用時の流水力を利用してイオン水を生成することができるので、近くに電源コンセントを設けたりあるいは遠く離れた電源コンセントから延長コード等で電源を引っ張ることが不要となり、水周りでの漏電といった問題がなくなる。また、外部電源が不要となることから、二酸化炭素の排出抑制にも貢献できる。
【００２３】
尚、本実施例では給水管３に浄水器５を設けたが、この浄水器５は従来周知の浄水器であって、本発明とは直接関係するものではない。また、上記浄水器に代えて、イオン水生成部８におけるイオン水生成の効率を向上させるために、塩やカルシウム等の電気分解促進剤を添加する装置を設けても良い。更には浄水器と電気分解促進剤添加装置とを組み合わせても良いが、蛇口２より非イオン水を取水する場合には、非イオン水に電気分解促進剤を添加する必要はないため、斯かる電気分解促進剤添加装置を迂回又は不動作とすることが好ましく、また、上記装置の特性上、浄水器を電気分解促進剤添加装置の上流側に位置させることが好ましい。
【００２４】
また、本実施例では、給水管３の水圧が常に一定であることを前提として、分岐管６には逆流防止用の電磁弁等は設けていないが、設けても良い。この場合、この電磁弁は、第１、第２電磁弁１７、１８が開状態から閉状態となった後に、イオン水生成部７内が給水管３から流入する非イオン水で満たされるまで開状態となり、それ以外のときは閉状態となるようにコントローラ１０等により制御される。
【００２５】
【発明の効果】
本発明によれば、非イオン水である通常の水の使用時の流水力を利用してイオン水を生成することができるので、近くに電源コンセントを設けたりあるいは遠く離れた電源コンセントから延長コード等で電源を引っ張ることが不要となるので、水周りでの漏電といった問題がなくなる。また、外部電源が不要となることから、二酸化炭素の排出抑制にも貢献できる。
【図面の簡単な説明】
【図１】本発明の実施例を示すブロック図である。
【図２】本実施例の動作を説明するためのフローチャートである。
【符号の説明】
３　　給水管
４　　発電機
６　　分岐管
７　　イオン水生成部
１１　陽極
１２　陰極
１０　コントローラ
１３　発電量監視手段
１５　第１流出管
１６　第２流出管
１７　第１電磁弁
１８　第２電磁弁
１９　第１貯蔵容器
２０　第２貯蔵容器
【図１】
2004058004.tif 000003
【図２】
2004058004.tif 000004